(57)【要約】      （修正有）【課題】ブラカップの改良構造を提供する。【解決手段】ブラカップの改良構造１００は、外面及び内面を有するブラカップ本体と、前記ブラカップ本体の外面に被覆するように固定される外側の裏地２と、前記ブラカップ本体の内面に被覆するように固定され、皮膚接触面を有する裏地３とを備える。前記皮膚接触面は複数の印刷凸部４を有し、複数の印刷凸部が前記皮膚接触面に分布されることにより、前記ブラカップの改良構造が女性の下着または水着に応用された際に好ましい滑り止め効果を発揮させる。【選択図】図１
0003223814.tif 000002
【実用新案登録請求の範囲】
【請求項１】
外面及び内面を有するブラカップ本体と、
前記ブラカップ本体の外面に被覆するように固定される外側の裏地と、
前記ブラカップ本体の内面に被覆するように固定され、且つ皮膚接触面を有する裏地と、を備え、
前記皮膚接触面は複数の印刷凸部を有することを特徴とする、
ブラカップの改良構造。
【請求項２】
これら前記印刷凸部は前記皮膚接触面に平均的に分布されることを特徴とする請求項１に記載のブラカップの改良構造。
【請求項３】
これら前記印刷凸部はシリコンゴムから構成されることを特徴とする請求項１または２に記載のブラカップの改良構造。
【請求項４】
これら前記印刷凸部は圧印加工で形成されることを特徴とする請求項３に記載のブラカップの改良構造。
【請求項５】
前記ブラカップ本体はスポンジブラカップであることを特徴とする請求項３に記載のブラカップの改良構造。
【請求項６】
前記ブラカップ本体、前記外側の裏地、及び前記裏地は相互にシームレスに圧着されることを特徴とする請求項３に記載のブラカップの改良構造。
【請求項７】
前記裏地は弾性生地であることを特徴とする請求項１に記載のブラカップの改良構造。
【考案の詳細な説明】
【技術分野】
【０００１】
本考案は、ブラカップ構造に関し、更に詳しくは、滑り止め及び安定化効果を有するブラカップの改良構造に関する。
【背景技術】
【０００２】
女性用下着や水着は、胸を寄せて盛り上げることで垂れるのを防止し、かつ身体の曲線美を強調するためのブラカップを有する。よって、ブラカップの設計は、胸を寄せて固定し、着用者が下着や水着の位置を調整する手間を省くことが重要である。
【考案の概要】
【考案が解決しようとする課題】
【０００３】
近年の一部の下着や水着製品では、使用者が着用する際に下着が滑らないようにするためにブラカップの内側にシリコンゴムが粘着されているが、長時間着用していると胸に不快感を感じることがあった。また、一部の下着では、ブラカップの縁にあるワイヤーにより滑り止め効果を発生させているが、これは部分的にしか効果がなく、広い範囲に全面的に滑り止め効果を与えることはなかった。
【０００４】
そこで、本考案者は上記の欠点が改善可能と考え、鋭意検討を重ねた結果、合理的設計で上記の課題を効果的に改善する本考案の提案に至った。
【０００５】
本考案はこうした状況に鑑みてなされたものであり、その目的は、ブラカップの改良構造を提供することにある。
【課題を解決するための手段】
【０００６】
上記課題を解決するために、本考案のある態様のブラカップの改良構造は、
外面及び内面を有するブラカップ本体と、前記ブラカップ本体の外面に被覆するように固定される外側の裏地と、前記ブラカップ本体の内面に被覆するように固定され、皮膚接触面を有する裏地と、を備える。
【０００７】
また、本考案に係るブラカップの改良構造において、これら前記印刷凸部は前記皮膚接触面に平均的に分布される。
【０００８】
また、本考案に係るブラカップの改良構造において、これら前記印刷凸部はシリコンゴムから構成される。
【０００９】
また、本考案に係るブラカップの改良構造において、これら前記印刷凸部は圧印加工で形成される。
【００１０】
また、本考案に係るブラカップの改良構造において、前記ブラカップ本体はスポンジブラカップである。
【００１１】
また、本考案に係るブラカップの改良構造において、前記ブラカップ本体、前記外側の裏地、及び前記裏地は相互にシームレスに圧着される。
【００１２】
また、本考案に係るブラカップの改良構造において、前記裏地は弾性生地である。
【考案の効果】
【００１３】
本考案は複数の印刷凸部がブラカップの内層に分布される。従来の一点接触方式やブラカップの縁にあるワイヤーを利用した滑り止め方式とは異なり、滑り止め効果が強化されており、下着が胸から滑ることがなく、胸の形を長時間効果的に固定させる。
【図面の簡単な説明】
【００１４】
【図１】本考案の好ましい実施形態に係るブラカップの改良構造を示す概略図である。
【図２】本考案の好ましい実施形態に係るブラカップの改良構造を示す分解概略図である。
【図３】図２の部分拡大図である。
【図４】本考案の好ブラカップの改良構造が下着に適用される概略図である。
【図５】本考案の好ブラカップの改良構造が水着に適用される概略図である。
【考案を実施するための形態】
【００１５】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１６】
まず、図１及び図２に示されるように、本考案に係るブラカップの改良構造１００は、ブラカップ本体１と、外側の裏地２と、裏地３と、を備える。
【００１７】
前記ブラカップ本体１は外面１１及び内面１２を有する。本実施例では、前記ブラカップ本体１はＣ形状を呈するスポンジブラカップである。
【００１８】
前記外側の裏地２は前記ブラカップ本体１の外面１１に被覆するように固定され、前記裏地３は前記ブラカップ本体１の内面１２に被覆するように固定される。前記ブラカップ本体１、前記外側の裏地２並びに前記裏地３の間は縫い合わせられて結合されてもよく、シームレスに相互に圧着されてもよい。
【００１９】
前記裏地３は弾性生地であり、前記ブラカップ本体１の内面１２に被覆するように固定される。前記裏地は皮膚接触面３１を有する。
【００２０】
次は図２及び図３に示されるように、本考案に係るブラカップの改良構造１００は、前記皮膚接触面３１が複数の印刷凸部４を有することを特徴とする。本実施例では、これら前記印刷凸部４は文字またはパターンを含み、これが広い面積で前記皮膚接触面３１に平均的に分布されることにより、滑り止めの面積が広がり、滑り止め効果が強化される。
【００２１】
また、これら前記印刷凸部４はシリコンゴムから構成され、圧印方式で前記皮膚接触面３１に固定される。これら前記印刷凸部４は滑り止め機能を有し、且つそのシリコンゴム成分が防水機能も有する。
【００２２】
前記ブラカップの改良構造１００は女性用下着に応用される（図４参照）。
【００２３】
前記ブラカップの改良構造はビキニタイプの水着に応用される（図５参照）。
【００２４】
前記ブラカップの改良構造１００の皮膚接触面３１のこれら前記印刷凸部４の設計により、前記皮膚接触面３１と着用者の胸の皮膚との間の摩擦力が高まる。また、これら前記印刷凸部４は広い面積で皮膚接触面３１に平均的に分布されるように設計され、滑り止めの面積が広がり、滑り止め効果が強化される。
【００２５】
本考案に係るブラカップの改良構造は、女性用下着または水着のどちらに応用されても、従来の女性用下着や水着に比べてより高い固定効果及び滑り止め効果を発生させ、胸の形を長時間固定させるため、着用者が下着や水着の位置を絶えず調整しなければならなくなるという不便さや恥ずかしい思いをすることがなくなる。
【００２６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２７】
１００  ブラカップの改良構造
１  ブラカップ本体
１１  外面
１２  内面
２  外側の裏地
３  裏地
３１  皮膚接触面
４  印刷凸部
【図１】
0003223814.tif 000003
【図２】
0003223814.tif 000004
【図３】
0003223814.tif 000005
【図４】
0003223814.tif 000006
【図５】
0003223814.tif 000007